(57)【要約】【課題】  利用者に対して、特別な表示用ディスプレイを用意することなく、マルチアプリケーションＩＣカードのメモリの占有状況や空き容量を目視可能な手段で提示することができる、ＩＣカードおよびＩＣカード用リーダ・ライタを提供することを目的とする。【解決手段】  書換え可能な不揮発性メモリに複数のアプリケーションプログラムを記憶し、複数のアプリケーションを切替えて実行することにより複数の機能を実現するマルチアプリケーション対応のＩＣカードにおいて、表面および裏面の少なくともどちらか一面に、不揮発性メモリに記録したアプリケーションのメモリ占有状況および空き容量を表示するメモリ状況表示部を設けたＩＣカード、およびメモリ状況表示部に、メモリ占有量を表示するＩＣカード用リーダ・ライタを提供する。【選択図】  図１
2005078426.tif 000002
【特許請求の範囲】
【請求項１】
書換え可能な不揮発性メモリに複数のアプリケーションプログラムを記憶し、前記複数のアプリケーションを切替えて実行することにより複数の機能を実現するマルチアプリケーション対応のＩＣカードであって、
表面および裏面の少なくともどちらか一面に、前記不揮発性メモリに記録したアプリケーションのメモリ占有状況および空き容量を表示するメモリ状況表示部、
を備えることを特徴とするＩＣカード。
【請求項２】
請求項１記載のＩＣカードであって、
前記メモリ状況表示部が、
前記不揮発性メモリに記録したアプリケーション総数、メモリ占有量の合計、メモリの空き容量、および搭載アプリケーション名を文字で表示する文字情報表示部と、
個々のアプリケーション毎のメモリ占有量、および空き容量をグラフで表示するグラフ表示部と、
の少なくとも１つを備えることを特徴とするＩＣカード。
【請求項３】
請求項１または２記載のＩＣカードであって、
前記メモリ状況表示部を、
サーマルリライトパネルにより構成すること、
を特徴とするＩＣカード。
【請求項４】
書換え可能な不揮発性メモリに複数のアプリケーションプログラムを記憶し、前記複数のアプリケーションを切替えて実行することにより複数の機能を実現するマルチアプリケーション対応のＩＣカードに対して、データの読み書きを行うＩＣカード用リーダ・ライタであって、
前記メモリ状況表示部に、前記ＩＣカードの前記不揮発性メモリの占有状況を印字／消去する印字ヘッド、
を備えることを特徴とするＩＣカード用リーダ・ライタ。
【請求項５】
請求項４記載のＩＣカード用リーダ・ライタであって、
前記印字ヘッドが、
サーマルリライトヘッドにより構成する、
を備えることを特徴とするＩＣカード用リーダ・ライタ。
【請求項６】
請求項４または５記載のＩＣカード用リーダ・ライタであって、
前記不揮発性メモリに記録されている各アプリケーション名、および各アプリケーション毎のメモリの占有状況を読み取るメモリ状況読取手段と、
前記読み取った各アプリケーション毎のメモリ占有状況から、アプリケーションの総数、メモリ占有量の合計、空き容量を算出するメモリ占有量算出手段と、
前記読み取った各アプリケーション毎のメモリ占有状況、算出した前記メモリ占有量の合計、および空き容量からメモリ占有状況のグラフを作成するグラフ作成手段と、
を備えることを特徴とするＩＣカード用リーダ・ライタ。
【請求項７】
請求項４から６のいずれかに記載のＩＣカード用リーダ・ライタであって、
前記アプリケーションの総数、メモリ占有量の合計、空き容量、およびアプリケーション名を印字する文字情報印字手段と、
前記作成したグラフを印字するグラフ印字手段と、
前記文字情報および前記グラフを印字する前に、前記メモリ状況表示部に既に印字されている内容を消去する消去手段と、
を備えることを特徴とするＩＣカード用リーダ・ライタ。
【発明の詳細な説明】
【技術分野】
【０００１】
本発明は、書換え可能な不揮発性メモリに複数のアプリケーションプログラム（以下、単にアプリケーションという）を記憶し、該アプリケーションを切替えて実行することにより複数の機能を実現するマルチアプリケーションＩＣカードに関し、特に、マルチアプリケーションＩＣカードの書換え可能な不揮発性メモリの占有状況および空き容量の表示に関するものである。
【背景技術】
【０００２】
近年、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ：書換え可能な不揮発性メモリ。以下、単にメモリという）に複数のアプリケーション記憶させ、各アプリケーションを切替えて実行することにより、１枚のＩＣカードに複数の機能を持たせることが可能なマルチアプリケーションＩＣカードが普及している。
【０００３】
ＩＣカード一般においては、搭載されているアプリケーションの名称と提供者、およびメモリから読み出した情報をＩＣカードに設けた表示部に表示する、携帯電話に内蔵するＩＣカードにおいては、空きメモリ容量を携帯電話のディスプレイ部に表示する、など、通常は目視による確認が不可能なＩＣチップ内に記憶されている情報を確認するための仕組みが提案されている（例えば、特許文献１〜３参照）。
【特許文献１】特開平１１−３９４４５号公報。
【特許文献２】実公平７−３０３８４号公報。
【特許文献３】特開２００２−３７４３２７号公報。
【０００４】
しかしながら、メモリに対してアプリケーションの追加が可能なマルチアプリケーションＩＣカードにおいて、メモリの占有状態、または空き容量を知ることができないため、メモリにアプリケーションを追加可能か否かを知ることができないという問題がある。
【０００５】
また、液晶ディスプレイなどの表示装置を設ける場合は、液晶ディスプレイおよび該液晶ディスプレイの制御手段を搭載する必要があり、ＩＣカード１枚当たりのコストが嵩むという問題がある。
【発明の開示】
【発明が解決しようとする課題】
【０００６】
本発明は上述の問題点に鑑みてなされたものであり、利用者に対して、特別な表示用ディスプレイを用意することなく、マルチアプリケーションＩＣカードのメモリの占有状況や空き容量を目視可能な手段で提示することができる、ＩＣカードおよびＩＣカード用リーダ・ライタを提供することを目的とする。
【課題を解決するための手段】
【０００７】
上記目的を達成するために、本発明の第１の態様は、書換え可能な不揮発性メモリに複数のアプリケーションプログラムを記憶し、前記複数のアプリケーションを切替えて実行することにより複数の機能を実現するマルチアプリケーション対応のＩＣカードにおいて、表面および裏面の少なくともどちらか一面に、前記不揮発性メモリに記録したアプリケーションのメモリ占有状況および空き容量を表示するメモリ状況表示部を設けたものである。
【０００８】
本発明の第２の態様は、上述の第１の態様に係るＩＣカードにおいて、前記メモリ状況表示部に、前記不揮発性メモリに記録したアプリケーション総数、メモリ占有量の合計、メモリの空き容量、および搭載アプリケーション名を文字で表示する文字情報表示部と、個々のアプリケーション毎のメモリ占有量、および空き容量をグラフで表示するグラフ表示部との少なくとも１つを設けたものである。
【０００９】
本発明の第３の態様は、上述の第１または２の態様に係るＩＣカードにおいて、前記メモリ状況表示部を、サーマルリライトパネルにより構成するようにしたものである。
【００１０】
本発明の第４の態様は、書換え可能な不揮発性メモリに複数のアプリケーションプログラムを記憶し、前記複数のアプリケーションを切替えて実行することにより複数の機能を実現するマルチアプリケーション対応のＩＣカードに対して、データの読み書きを行うＩＣカード用リーダ・ライタにおいて、前記メモリ状況表示部に前記ＩＣカードの前記不揮発性メモリの占有状況を印字／消去する印字ヘッドを設けたものである。
【００１１】
本発明の第５の態様は、上述の第４の態様に係るＩＣカード用リーダ・ライタにおいて、前記印字ヘッドを、サーマルリライトヘッドにより構成するようにしたものである。
【００１２】
本発明の第６の態様は、上述の第４または５の態様に係るＩＣカード用リーダ・ライタにおいて、前記不揮発性メモリに記録されている各アプリケーション名、および各アプリケーション毎のメモリの占有状況を読み取るメモリ状況読取手段と、前記読み取った各アプリケーション毎のメモリ占有状況から、アプリケーションの総数、メモリ占有量の合計、空き容量を算出するメモリ占有量算出手段と、前記読み取った各アプリケーション毎のメモリ占有状況、算出した前記メモリ占有量の合計、および空き容量からメモリ占有状況のグラフを作成するグラフ作成手段とを設けたものである。
【００１３】
本発明の第７の態様は、上述の第４から６の態様に係るＩＣカード用リーダ・ライタにおいて、前記アプリケーションの総数、メモリ占有量の合計、空き容量、およびアプリケーション名を印字する文字情報印字手段と、前記作成したグラフを印字するグラフ印字手段と、前記文字情報および前記グラフを印字する前に、前記メモリ状況表示部に既に印字されている内容を消去する消去手段とを設けたものである。
【発明の効果】
【００１４】
本発明に係るＩＣカードによれば、ディスプレイ装置などコスト増の要因になる機器を追加することなく、該ＩＣカードの表面にメモリの占有状況（アプリケーションの搭載状況）を表示できるため、該ＩＣカードだけでメモリの占有状況および空き容量を目視により確認することが可能になる。
【００１５】
また、メモリの占有状況を、文字に加えて、アプリケーション毎のメモリ占有量を示すグラフにより表示するので、メモリ占有状況および空き容量を、より視覚的に理解することが可能になる。
【００１６】
また、空き容量が視覚的に理解できるため、追加可能な新しいアプリケーションの選択を容易に行うことができる。
【発明を実施するための最良の形態】
【００１７】
以下、本発明を図示する実施形態に基づいて説明する。図１は、本発明のＩＣカード１の外観図である。
【００１８】
ＩＣカード１は、基材部分２の表面、裏面の少なくともどちらか片面に、メモリ状況表示部３、接触端子４を備えている。
【００１９】
メモリ状況表示部３は、ロイコ染料などの素材を用いた熱による書換え可能なサーマルリライトパネルや、磁性体の向きを変化させることにより表示内容の書換えが可能なパネルより構成する。
【００２０】
図２は、メモリ状況表示部３の拡大図で、メモリ状況表示部３は、搭載されているアプリケーション総数、メモリ使用量の合計と空き容量、搭載アプリケーション名を文字で表示する文字情報表示部５、各アプリケーション毎のメモリ占有状況を占有量に応じた面積を有するグラフで表示するグラフ表示部６を備えている。
【００２１】
図３は、ＩＣカード用リーダ・ライタ７の上面図および正面図である。ＩＣカード用リーダ・ライタ７は、挿入口８を備え、内部にＩＣ接触端子９、および印字ヘッド１０を備えている。
【００２２】
また、図４は、ＩＣカード用リーダ・ライタ７の内部、特に印字ヘッド１０の近辺の模式図である。
【００２３】
ＩＣ接触端子９は、ＩＣカード１の表面に設置した接触端子４と接触することで、ＩＣカード１に対してデータの読み書きを行う電気的なインタフェースである。
【００２４】
印字ヘッド１０は、サーマルリライトヘッドやスタンプなどの印字装置であり、ＩＣカード１のメモリ占有状況をＩＣカード１のメモリ状況表示部３に印字したり、印字前に既に印字されている内容を消去するものである。
【００２５】
更に、ＩＣカード用リーダ・ライタ７は、制御プログラムの１つとして、図示は省略するが、メモリ状況読取手段、メモリ占有量算出手段、グラフ作成手段、文字情報印字手段、グラフ印字手段、消去手段を備えている。
【００２６】
次に、図５に示す模式図に基づき、本発明のＩＣカードのメモリ占有状況の表示について、ＩＣカードの初期発行時、およびＩＣカード発行後の利用時の２つの場合を例に説明する。
【００２７】
まず、製造したＩＣカード１に対して、暗号処理用鍵のロードなど、ＩＣカードの発行に関連する諸作業、および、例えば、図２に示す３つのアプリケーションのメモリへの書き込み（インストール）を行う。
【００２８】
次に、各アプリケーション単位に、利用者を識別するＩＤなどの個人情報、アプリケーションの設定情報などをＩＣカード１の内部に記録するパーソナライズ処理を行うことで、ＩＣカード１の発行作業は終了する。
【００２９】
発行されたＩＣカード１を、ＩＣカード用リーダ・ライタ７の挿入口８に挿入すると、メモリ状況読取手段は、ＩＣカード１から、メモリに記憶している各アプリケーションのアプリケーション名と、各アプリケーション毎のメモリ占有量を取得する。
【００３０】
次に、メモリ占有量算出手段は、読み取ったアプリケーション名と、各アプリケーション毎のメモリ占有量から、アプリケーションの総数、メモリ占有量の合計、および空き容量を算出する。
【００３１】
更に、グラフ作成手段により、メモリの総容量に対する各アプリケーション毎のメモリ占有量の占有率を算出して、メモリの占有状況が面積の多寡によって判別可能な形式のグラフを作成する。
【００３２】
文字情報およびグラフを印字する前に、既にメモリ状況表示部３に印字されている内容を消去手段により消去した後、文字情報印字手段は、アプリケーションの総数、メモリ占有量の合計、空き容量、および各アプリケーション名を文字情報表示部５へ印字し、グラフ印字手段は、作成したメモリ占有状況のグラフをグラフ表示部６へ印字する。
【００３３】
ＩＣカード１が利用者に渡り、通常に、ＩＣカード１に搭載された機能、例えば、Ａ銀行のキャッシュカードを利用する。
【００３４】
利用者は、メモリ状況表示部３を見ることにより、常に、アプリケーションの総数、メモリ占有量の合計、空き容量、各アプリケーション名、メモリの占有状況を示すグラフを確認することができる。
【００３５】
常にメモリの占有状況を目視により確認できているので、アプリケーションの追加を行う際には、専用のＩＣカード用リーダ・ライタ７が設置されているＡＴＭ、またはカードのサービスセンターなどにおいて、アプリケーションの一覧表示などから、メモリの空き容量より小さな新アプリケーションを容易に選択できる。
【００３６】
更に、選択した新たなアプリケーションをＩＣカード１に追加した場合は、改めて、アプリケーションの総数、メモリ占有量の合計、空き容量、各アプリケーション名、メモリの占有状況を示すグラフを文字情報表示部５およびグラフ表示部６へ印字する。
【図面の簡単な説明】
【００３７】
【図１】本発明のＩＣカードの外観図である。
【図２】本発明のＩＣカードのメモリ状況表示部の拡大図である。
【図３】本発明のＩＣカード用リーダ・ライタの上面図および正面図である。
【図４】本発明のＩＣカード用リーダ・ライタの内部における印字ヘッド近辺の模式図である。
【図５】本発明のＩＣカードのメモリ占有状況表示までの処理内容を示す模式図である。
【符号の説明】
【００３８】
１  ＩＣカード
２  基材部分
３  メモリ状況表示部
４  接触端子
５  文字情報表示部
６  グラフ表示部
７  ＩＣカード用リーダ・ライタ
８  挿入口
９  ＩＣ接触端子
１０  印字ヘッド
【図１】
2005078426.tif 000003
【図２】
2005078426.tif 000004
【図３】
2005078426.tif 000005
【図４】
2005078426.tif 000006
【図５】
2005078426.tif 000007